(57)【要約】      （修正有）【課題】広告配信において、複数のアドネットワークから収益性の高いアドネットワークを選択する。【解決手段】訪問者端末ａとネットワーク接続されたアドネットワークマスタデータベース１００とメディアマスタデータベース２００と広告配信ログ３００と訪問者データベース４００とアドネットワーク選択エンジンと配信結果取得エンジンを備えた広告配信サーバｂにおいて、メディアマスタデータベース２００に含まれるメディアの属性情報と訪問者データベース４００に記録された閲覧者の属性を処理して、広告配信ログ３００に含まれる訪問者への広告の配信度数とを、訪問者の一意の情報をあわせて照らし合わせ、収益の高いアドネットワークを選択して、アドネットワークの配信タグを配信することで広告を配信する。【選択図】図１
2012073990.tif 000002
【特許請求の範囲】
【請求項１】
配信すべき広告を選定するシステムであって、メディアの運営者が契約するアドネットワーク情報を記録するデータベースと、広告の掲載を希望するメディアの情報を記録するデータベースと、掲載される広告の配信結果を記録するログと前記メディアの訪問者を記録するデータベースに基づき、もっとも収益が高いアドネットワークを選択して広告を配信するために構成された、広告配信システムおよび広告配信方法。
【発明の詳細な説明】
【発明の詳細な説明】
【技術分野】
【０００１】  本発明は、インターネットなどのネットワークにおいて、ウェブページに掲載されるべき広告を複数のアドネットワークから選択するための広告配信システム及び方法に関する。
【背景技術】
【０００２】  インターネットなどのネットワークにおいて、広告を配信する場合、ウェブサイトもしくはウェブページに、広告主が設定するウェブページへのリンクを設定した広告を掲載し、ウェブサイトもしくはウェブページを閲覧した訪問者が広告をクリックすると、広告主が設定するウェブページへ接続されるようにすることが一般的である。【０００３】  このようなインターネットなどのネットワークで広告を配信する手段として、ひとつの事業者がひとつまたは複数の広告を管理して、広告の配信を希望するウェブサイト（以下メディアという）の複数にまたがって、広告を配信する手段がある。この手段をもちいたサービスはアドネットワークとよび、アドネットワークでは、ひとつまたは複数の広告主が出稿する広告を、複数のメディアに配信する。【０００４】  アドネットワークを利用すると、広告主にとっては、複数のメディアに広告を配信することができるために手間が省ける利点があり、メディアの運営者にとっては、アドネットワークが管理するひとつまたは複数の広告の配信をうけることができる利点がある。【０００５】  アドネットワークを利用する場合、広告主は、アドネットワークの運営者との間で広告料の算定方式を指定した契約を結び、その契約内容に従って広告料をアドネットワークの運営者に支払う必要がある。この広告料の契約形態としては、例えば、（１）広告の配信回数１０００回に対する金額を広告料単価とするＣＰＭ（Ｃｏｓｔ  ｐｅｒ  Ｍｉｌｌ）、（２）広告のクリック１回に対する金額を広告料単価とするＣＰＣ（Ｃｏｓｔ  ｐｅｒ  Ｃｌｉｃｋ）、（３）広告主が決めた成果（例えば商品の購入など）１回に対する金額を広告料単価とするＣＰＡ（Ｃｏｓｔ  ｐｅｒ  Ａｃｑｕｉｓｉｔｉｏｎ）などが一般的である。【０００６】  上記ＣＰＣやＣＰＡの広告料の算定方式とする契約の広告主は、メディアの訪問者のクリック、または商品やサービスの購買などの広告主が設定する成果の数量や割合に応じて広告料を支払う。【０００７】  たとえば、広告主が設定した成果を満たす場合に、成果の数に応じてメディアの運営者に広告料を支払う方法（上記ＣＰＣまたはＣＰＡに相当）が開示されている（特許文献１参照）。
この方法を採用する広告として、アフィリエイトプログラムとよばれる成果に応じて広告を支払う形の広告について、メディアに対して努力や工夫を促すべく、訪問者がメディアを経由して商品やサービスの購買をおこなう場合について、初回の訪問から特定の期間を設定して、その期間内に再度、商品やサービスを購買する場合についても、メディアに対して広告料を支払うようにしたシステムが開示されている。【０００８】  一方でＣＰＭのように、メディアの訪問者の閲覧１回に対する広告料の算定方式とする契約の広告主は、メディアの訪問者に対して広告を配信した回数に応じて広告料を支払う。【０００９】  たとえば、ネットワークを介して画像の広告の配信を行うシステムにおいては、広告の広告料に基づいて配信頻度を調整することが開示されている（特許文献２参照）。【００１０】  アドネットワークの運営者は、広告主からより多くの広告料を得るために、メディアの訪問者の要望に沿った広告を配信するように努力する。そのため、メディアの訪問者やメディアのコンテンツの属性を判別する。判別した属性を参照して、その内容に対応できる広告を選択して配信すれば、メディアの訪問者の要望に近い広告の配信が可能となり、広告料の支払いにつながりやすい。【００１１】  たとえば、上記ＣＰＣまたはＣＰＡの広告料の算定方式とする契約の広告の場合は、広告の配信システムにおいて、メディアの訪問者のクリックやメディアのコンテンツの各ウェブページについて、ウェブページに含まれる特徴的な単語などの抽出をおこなったり（たとえば、特許文献３および非特許文献１参照）、メディアの訪問者のプロファイルを利用して興味や関心事を推定することをおこなう（たとえば、特許文献４参照）。
【先行技術文献】
【特許文献】
【００１２】
【特許文献１】特開２００２ー０２４６８７号公報
【特許文献２】特開２００８ー００９５５０号公報
【特許文献３】特開２００８ー５４５２００号広報
【特許文献４】特開２０１０ー０５５５９７号広報
【非特許文献】
【００１３】
【非特許文献１】「コンテンツ連動型広告−＠ＩＴ情報マネジメント用語辞典」、［平成２２年９月２７日検索］、インターネット、＜ＵＲＬ：ｈｔｔｐ：／／ｗｗｗ．ａｔｍａｒｋｉｔ．ｃｏ．ｊｐ／ａｉｇ／０４ｂｉｚ／ｃｏｎｔｅｘｔｕａｌａｄ．ｈｔｍｌ＞
【発明の開示】
【発明が解決しようとする課題】
【００１４】  メディアの運営者が広告料による収益を増加させる場合には、多くの広告を用意して、メディアの訪問者に対して、要望に沿った広告を配信する必要がある。そのため、メディアの運営者は多くの広告を手間を少なく用意できるため、複数の異なるアドネットワークを併用して利用する。通常、アドネットワークの事業者ごとに契約する広告主が異なるため、配信される広告も異なる契約形態の広告となる。【００１５】  複数のアドネットワークを併用して広告料の収益を増やすために、メディアの運営者は、複数のアドネットワークごとに重みをつけて配信量を設定する。上記ＣＰＣやＣＰＭの広告料の算定方法により重みをつける場合や、メディアの運営者が広告収入の総額を鑑みることで得たノウハウが用いられる。【００１６】  一般的には、広告を１０００回配信した場合におけるメディアの運営者の収入を単価とするｅＣＰＭ（ｅｆｆｅｃｔｉｖｅ  Ｃｏｓｔ  ｐｅｒ  Ｍｉｌｌ）をもちいて、複数のアドネットワークの収益性の比較をおこなう。たとえばアドネットワークＣとアドネットワークＤを利用するメディアの運営者は、アドネットワークＣの広告料がｅＣＰＭで３０円、アドネットワークＤの広告料がｅＣＰＭで５０円であるとすると、アドネットワークＤをアドネットワークＣに比べて１．５倍の頻度で配信するように配信量に重みをつける。【００１７】  上記ｅＣＰＭ同士を比較して重みをつけた配信をおこなうと、メディアの全ウェブページについて、メディアの運営者が設定した上記重みに応じた配信がなされるが、個別のアドネットワークは、メディアのウェブページのコンテンツや訪問者の属性を判別した配信をおこなうため、メディアの運営者が設定した上記の重みに応じた配信が収益の向上につながらない。【００１８】  そのため、メディアの運営者は、確実に広告料を取れるＣＰＭの広告を優先して選択したり、高い広告料を恒常的に支払う特定のアドネットワークに重みを大きくおいた配信をおこなう傾向がある。【００１９】  このように、アドネットワークの運営者と広告主の間で契約した広告料の算定方法が上記ＣＰＭ、ＣＰＣ、ＣＰＡと複数存在することや、メディアの全体のウェブページのコンテンツごとに、それぞれのアドネットワークが個別にメディアの訪問者やコンテンツの属性を判別して、メディアの訪問者の要望に沿った広告を配信するために、複数のアドネットワークを併用する場合は、メディアの運営者のノウハウに頼らざるを得ない。【００２０】  本発明は、上記の点に鑑みてなされたものであり、複数のアドネットワークを利用する場合に、メディアが多くの広告料を得るための広告を選択して配信することが可能な広告配信システム及び方法を提供することを目的とする。
【課題を解決するための手段】
【００２１】  上記の目的を達成するため、請求項１に記載された発明は、
メディアの訪問者が利用する端末が閲覧するメディアのウェブページからの広告配信要求に応じて、当該広告配信要求に対応する複数の広告または複数のアドネットワークの中から何れかひとつのアドネットワークを選択し、その選択したアドネットワークの配信タグを当該メディアのウェブページに配信して、当該端末に広告を表示する広告配信システムであって、
アドネットワークの情報が記録されたアドネットワークマスタデータベースと、広告を配信するメディアの情報が記録されたメディアマスタデータベースと、メディアの訪問者の情報が記録された訪問者データベースと、
メディアの訪問者が利用する端末の訪問頻度を収集する配信結果取得エンジンと、収益性の高いアドネットワークを選択するアドネットワーク選択エンジンと、
前記アドネットワークマスタデータベースと広告の配信ログから、訪問頻度にもとづき、どのアドネットワークの広告を配信すべきかを決定する広告決定手段と、
前記決定した広告を配信するための配信タグを前記メディアのウェブページに配信して前記訪問者が利用する端末へ表示する広告送信手段と、を備えることを特徴とする。【００２２】  本発明によれば、メディアの訪問者がメディアのウェブページに訪問するごとに、複数のアドネットワークの期待する収益を広告料単価に換算し、その換算値とメディアの訪問者の訪問度数に基づき、配信する広告を、複数の広告ネットワークからひとつを選ぶことができ、広告配信をおこなうことが可能となる。
【発明を実施するための最良の形態】
【００２３】  図１は、本発明の一実施形態であるシステムの全体構成図である。同図に示すように、本実施形態のシステムは、訪問者端末ａ、広告配信サーバｂ、メディアサーバｃ等を含んで構成されており、それらはインターネット等のネットワークを介して相互に通信可能に接続されている。【００２４】  訪問者の端末ａには、広告配信サーバｂから、インターネット経由で、メディアサーバｃに配信された広告データを画面表示するためのブラウザプログラムが組み込まれている。なお、訪問者端末ａはパーソナルコンピュータ等のコンピュータ端末であってもよいし、携帯電話機等の携帯電話端末であってもよいし、ＰＤＡ・タブレットであってもよい。【００２５】  本実施形態では、広告配信サーバｂは、メディアマスタデータベース２００に登録されたメディアサーバｃにアドネットワークマスタデータベース１００に登録されたアドネットワーク広告配信タグを送信する。配信した結果は、広告配信ログ３００に記録する。【００２６】  訪問者端末ａのブラウザプログラムが、メディアサーバｃのウェブページを読み込むと、広告配信サーバｂに対して、広告配信要求が出され、これに応じて、広告配信サーバｂは、掲載すべきアドネットワークを選択する。【００２７】  広告配信サーバｂからアドネットワーク広告配信タグを送信して、訪問者端末ａがメディアサーバｃのウェブページを読み込むとき、広告配信サーバｂは、訪問者端末ａの固有の情報を記録する。固有の情報は、広告配信サーバｂが発行した固有の文字列で、訪問者端末ａがクッキーなどの媒体に記録する。発行した固有の文字列は、訪問者データベース４００に記録する。【００２８】  図２は、広告配信サーバｂの機能を示す図である。広告配信サーバｂは、アドネットワーク選択エンジン１と配信結果取得エンジン２で構成される。【００２９】  アドネットワーク選択エンジン１は、属性判定部１０と、選択部２０と、閲覧データ処理部３０と配信部５０からなる。属性判定部１０は、メディアサーバｃから広告配信要求が届くと、メディアマスタデータベース２００と訪問者データベース４００から、それぞれの属性情報を取得して属性を判定する。つぎに、選択部２０は、前記属性と広告配信ログ３００から広告配信度数と、アドネットワークマスタデータベース１００からアドネットワーク情報を取得して、アドネットワークごとに収益情報を取得して、属性にもとづき、収益が高い順番にアドネットワークを並び替え、最も収益が高いアドネットワークを配信すべきアドネットワークとして選択して、アドネットワークマスタデータベース１００から配信タグを取得する。前記取得された配信タグは配信部６０より配信する。【００３０】  訪問者データベース４００と広告配信ログ３００のデータは、配信結果取得エンジン２より送信された情報を閲覧データ処理部３０によって処理されて記録する。【００３１】  配信取得エンジン２は、閲覧取得部４０で構成される。メディアサーバｃのウェブページに記述されたウェブビーコンなどのプログラムにより送信される。送信される情報は訪問者端末が読み込むメディアサーバｃのウェブページ情報を取得する。
【符号の説明】
【００３２】１          アドネットワーク配信エンジン
２          配信取得エンジン
１０        属性判定部
２０        選択部
３０        閲覧データ処理部
４０        閲覧取得部
５０        配信部
１００      アドネットワークマスタデータベース
２００      メディアマスタデータベース
３００      広告配信ログ
４００      訪問者データベース
ａ          訪問者端末
ｂ          広告配信サーバ
ｃ          メディアサーバ
【図１】
2012073990.tif 000003
【図２】
2012073990.tif 000004
【手続補正書】
【提出日】平成22年11月16日(2010.11.16)
【手続補正１】
【補正対象書類名】明細書
【補正対象項目名】全文
【補正方法】変更
【補正の内容】
【発明の詳細な説明】
【発明の詳細な説明】
【技術分野】
【０００１】  本発明は、インターネットなどのネットワークにおいて、ウェブページに掲載されるべき広告を配信するための広告配信システム及び方法に関する。
【背景技術】
【０００２】  インターネットなどのネットワークにおいて、広告を配信する場合、ウェブサイトもしくはウェブページに、広告主が設定するウェブページへのリンクを設定した広告を掲載し、ウェブサイトもしくはウェブページを閲覧した訪問者が広告をクリックすると、広告主が設定するウェブページへ接続されるようにすることが一般的である。【０００３】  このようなインターネットなどのネットワークで広告を配信する手段として、ひとつの事業者がひとつまたは複数の広告を管理して、広告の配信を希望するウェブサイト（以下メディアという）の複数にまたがって、広告を配信する手段がある。この手段をもちいたサービスはアドネットワークとよび、アドネットワークでは、ひとつまたは複数の広告主が出稿する広告を、複数のメディアに配信する。【０００４】  アドネットワークを利用すると、広告主にとっては、複数のメディアに広告を配信することができるために手間が省ける利点があり、メディアの運営者にとっては、アドネットワークが管理するひとつまたは複数の広告の配信をうけることができる利点がある。【０００５】  アドネットワークを利用する場合、広告主は、アドネットワークの運営者との間で広告料の算定方式を指定した契約を結び、その契約内容に従って広告料をアドネットワークの運営者に支払う必要がある。この広告料の契約形態としては、例えば、（１）広告の配信回数１０００回に対する金額を広告料単価とするＣＰＭ（Ｃｏｓｔ  ｐｅｒ  Ｍｉｌｌ）、（２）広告のクリック１回に対する金額を広告料単価とするＣＰＣ（Ｃｏｓｔ  ｐｅｒ  Ｃｌｉｃｋ）、（３）広告主が決めた成果（例えば商品の購入など）１回に対する金額を広告料単価とするＣＰＡ（Ｃｏｓｔ  ｐｅｒ  Ａｃｑｕｉｓｉｔｉｏｎ）などが一般的である。【０００６】  上記ＣＰＣやＣＰＡの広告料の算定方式とする契約の広告主は、メディアの訪問者のクリック、または商品やサービスの購買などの広告主が設定する成果の数量や割合に応じて広告料を支払う。【０００７】  たとえば、広告主が設定した成果を満たす場合に、成果の数に応じてメディアの運営者に広告料を支払う方法（上記ＣＰＣまたはＣＰＡに相当）が開示されている（特許文献１参照）。
この方法を採用する広告として、アフィリエイトプログラムとよばれる成果に応じて広告を支払う形の広告について、メディアに対して努力や工夫を促すべく、訪問者がメディアを経由して商品やサービスの購買をおこなう場合について、初回の訪問から特定の期間を設定して、その期間内に再度、商品やサービスを購買する場合についても、メディアに対して広告料を支払うようにしたシステムが開示されている。【０００８】  一方でＣＰＭのように、メディアの訪問者の閲覧１回に対する広告料の算定方式とする契約の広告主は、メディアの訪問者に対して広告を配信した回数に応じて広告料を支払う。【０００９】  たとえば、ネットワークを介して画像の広告の配信を行うシステムにおいては、広告の広告料に基づいて配信頻度を調整することが開示されている（特許文献２参照）。【００１０】  アドネットワークの運営者は、広告主からより多くの広告料を得るために、メディアの訪問者の要望に沿った広告を配信するように努力する。そのため、メディアの訪問者やメディアのコンテンツの属性を判別する。判別した属性を参照して、その内容に対応できる広告を選択して配信すれば、メディアの訪問者の要望に近い広告の配信が可能となり、広告料の支払いにつながりやすい。【００１１】  たとえば、上記ＣＰＣまたはＣＰＡの広告料の算定方式とする契約の広告の場合は、広告の配信システムにおいて、メディアの訪問者のクリックやメディアのコンテンツの各ウェブページについて、ウェブページに含まれる特徴的な単語などの抽出をおこなったり（たとえば、特許文献３参照）、メディアの訪問者のプロファイルを利用して興味や関心事を推定することをおこなう（たとえば、特許文献４参照）。
【先行技術文献】
【特許文献】
【００１２】
【特許文献１】特開２００２ー０２４６８７号公報
【特許文献２】特開２００８ー００９５５０号公報
【特許文献３】特開２００８ー５４５２００号広報
【特許文献４】特開２０１０ー０５５５９７号広報
【非特許文献】
【００１３】
【非特許文献１】「コンテンツ連動型広告ー＠ＩＴ情報マネジメント用語辞典」、［平成２２年９月２７日検索］、インターネット、＜ＵＲＬ：ｈｔｔｐ：／／ｗｗｗ．ａｔｍａｒｋｉｔ．ｃｏ．ｊｐ／ａｉｇ／０４ｂｉｚ／ｃｏｎｔｅｘｔｕａｌａｄ．ｈｔｍｌ＞
【発明の開示】
【発明が解決しようとする課題】
【００１４】  メディアの運営者が広告料による収益を増加させる場合には、多くの広告を用意して、メディアの訪問者に対して、要望に沿った広告を配信する必要がある。そのため、メディアの運営者は、複数の異なるアドネットワークを併用する。通常、アドネットワークの事業者ごとに契約する広告主が異なるため、配信される広告も異なる契約形態の広告となる。【００１５】  複数のアドネットワークを併用して広告料の収益を増やすときに、メディアの運営者は、複数のアドネットワークごとに重みをつけて配信量を設定する。上記ＣＰＣやＣＰＭの広告料の算定方法により重みをつける場合や、メディアの運営者が広告収入の総額を鑑みることで得たノウハウが用いられる。【００１６】  たとえば、広告を１０００回配信した場合におけるメディアの運営者の収入を単価とするｅＣＰＭ（ｅｆｆｅｃｔｉｖｅ  Ｃｏｓｔ  ｐｅｒ  Ｍｉｌｌ）をもちいて、複数のアドネットワークの収益性の比較をおこなう。たとえばアドネットワークＣとアドネットワークＤを利用するメディアの運営者は、アドネットワークＣの広告料がｅＣＰＭで３０円、アドネットワークＤの広告料がｅＣＰＭで５０円であるとすると、アドネットワークＤをアドネットワークＣに比べて１．５倍の頻度で配信するように配信量に重みをつける。【００１７】  上記ｅＣＰＭ同士を比較して重みをつけた配信をおこなうと、メディアの全ウェブページについて、メディアの運営者が設定した上記重みに応じた配信がなされるが、個別のアドネットワークは、メディアのウェブページのコンテンツや訪問者の属性を判別した配信をおこなうため、メディアの運営者が設定した上記の重みに応じた配信が収益の向上につながらない。【００１８】  そのため、メディアの運営者は、確実に広告料を取れるＣＰＭの広告を優先して選択したり、高い広告料を恒常的に支払う特定のアドネットワークに重みを大きくおいた配信をおこなう傾向がある。【００１９】  このように、アドネットワークの運営者と広告主の間で契約した広告料の算定方法が上記ＣＰＭ、ＣＰＣ、ＣＰＡと複数存在することや、メディアの全体のウェブページのコンテンツごとに、それぞれのアドネットワークが個別にメディアの訪問者やコンテンツの属性を判別して、メディアの訪問者の要望に沿った広告を配信するために、複数のアドネットワークを併用する場合は、メディアの運営者のノウハウに頼らざるを得ない。【００２０】  本発明は、上記の点に鑑みてなされたものであり、複数のアドネットワークを利用する場合に、メディアが多くの広告料を得るための広告を選択して配信することが可能な広告配信システム及び方法を提供することを目的とする。
【課題を解決するための手段】
【００２１】  上記の目的を達成するため、請求項１に記載された発明は、
メディアの訪問者が利用する端末からの広告配信要求に応じて、当該広告配信要求に対応する複数の広告または複数のアドネットワークの中から何れか１つの広告またはアドネットワークを選択し、その選択した広告またはアドネットワークの広告データを当該端末へ送信する広告配信システムであって、
各広告またはアドネットワークのデータが記録された広告データベースと、
メディアの訪問者が利用する端末の訪問頻度を収集する訪問者情報取得部と、
前記受信した広告配信要求に対応する広告またはアドネットワークについて、前記広告データベースに記録される広告料を訪問者ごとに収入が期待できる広告単価に換算する換算手段と、
前記受信した広告配信要求に対して、前記各広告について前記換算した広告単価と訪問頻度にもとづき、どの広告を配信すべきかを決定する広告決定手段と、
前記決定した広告を前記広告データベースから読み出して、前記訪問者が利用する端末へ送信する広告送信手段と、を備えることを特徴とする。【００２２】  本発明によれば、メディアの訪問者がメディアのウェブページに訪問するごとに、複数のアドネットワークの期待する収益を広告料単価に換算し、その換算値とメディアの訪問者の訪問度数に基づき、配信する広告を、複数の広告ネットワークからひとつを選ぶことができ、広告配信をおこなうことが可能となる。
【発明を実施するための最良の形態】
【００２３】  図１は、本発明の一実施形態であるシステムの全体構成図である。同図に示すように、本実施形態のシステムは、訪問者端末ａ、広告配信サーバｂ、メディアサーバｃ等を含んで構成されており、それらはインターネット等のネットワークを介して相互に通信可能に接続されている。【００２４】  訪問者の端末ａには、広告配信サーバｂから、インターネット経由で、メディアサーバｃに配信された広告データを画面表示するためのブラウザプログラムが組み込まれている。なお、訪問者端末ａはパーソナルコンピュータ等のコンピュータ端末であってもよいし、携帯電話機等の携帯電話端末であってもよいし、ＰＤＡ・タブレットであってもよい。【００２５】  本実施形態では、広告配信サーバｂは、メディアマスタデータベース２００に登録されたメディアサーバｃにアドネットワークマスタデータベース１００に登録されたアドネットワーク広告配信タグを送信する。配信したアドネットワークは、広告配信ログ３００に記録する。【００２６】訪問者端末ａのブラウザプログラムが、メディアサーバｃのウェブページを読み込むと、広告配信サーバｂに対して、広告配信要求が出され、これに応じて、広告配信サーバｂは、掲載すべきアドネットワークを選択する。【００２７】  広告配信サーバｂからアドネットワーク広告配信タグを送信して、訪問者端末ａがメディアサーバｃのウェブページを読み込むとき、広告配信サーバｂは、訪問者端末ａの固有の情報を記録する。固有の情報は、広告配信サーバｂが発行した固有の文字列で、訪問者端末ａがクッキーなどの媒体に記録する。発行した固有の文字列は、訪問者データベース４００に記録する。【００２８】  図２は、広告配信サーバｂの機能を示す図である。広告配信サーバｂは、アドネットワーク選択エンジン１と配信結果取得エンジン２で構成される。【００２９】  アドネットワーク選択エンジン１は、属性判定部１０と、選択部２０と、閲覧データ処理部３０と配信部５０からなる。属性判定部１０は、メディアサーバｃから広告配信要求が届くと、メディアマスタデータベース２００と訪問者データベース４００から、それぞれの属性情報を取得して属性を判定する。つぎに、選択部２０は、前記属性と広告配信ログ３００から広告配信度数と、アドネットワークマスタデータベース１００からアドネットワーク情報を取得して、アドネットワークごとに収益情報を取得して、属性にもとづき、収益が高い順番にアドネットワークを並び替え、最も収益が高いアドネットワークを配信すべきアドネットワークとして選択して、アドネットワークマスタデータベース１００から配信タグを取得する。前記取得された配信タグは配信部６０より配信する。【００３０】  訪問者データベース４００と広告配信ログ３００のデータは、配信結果取得エンジン２より送信された情報を閲覧データ処理部３０によって処理されて記録する。【００３１】  配信取得エンジン２は、閲覧取得部４０で構成される。メディアサーバｃのウェブページに記述されたウェブビーコンなどのプログラムにより送信される。送信される情報は訪問者端末が読み込むメディアサーバｃのウェブページ情報を取得する。
【図面の簡単な説明】
【００３２】
【図１】  本発明の機能が組み込まれた広告配信をおこなうためのネットワークシステムの全体構成図である。
【図２】  広告配信をおこなうシステムの機能ブロック図である。
【符号の説明】
【００３３】１          アドネットワーク配信エンジン
２          配信取得エンジン
１０        属性判定部
２０        選択部
３０        配信部
４０        閲覧データ処理部
５０        配信部
１００      アドネットワークマスタデータベース
２００      メディアマスタデータベース
３００      広告配信ログ
４００      訪問者データベース